(57)【要約】  アウターソールは、アッパーソールと、アッパーソールの下方に配置されたトレッド層と、アッパーソールとトレッド層との間に配置された弾性ミッドソールとを含む。ミッドソールは、荷重が加わったときの圧縮に抵抗し、ソールの縦軸に対して横断方向に延びる少なくとも１つの浮動ヒンジを含む。浮動ヒンジはそれぞれ、上弾性凸形板ばねと、下弾性凸形板ばねと、これらの板ばねを互いに接合するＵ字形ばねとを含む。板ばねはそれぞれ、根部と、根部の反対側の頭部とを有する。Ｕ字形ばねはそれぞれ、一体に形成された一対の脚を有し、上板ばねはそれぞれ、その根部において、アッパーソールと一体に形成されており、下板ばねはそれぞれ、その根部において、トレッド層と一体に形成されている。それぞれの浮動ヒンジの板ばねはそれぞれ、その頭部において、関連するＵ字形ばねのそれぞれ一方の脚に一体に接合されている。
2009529348.tif 000002
【特許請求の範囲】
【請求項１】
アッパーソールと、
前記アッパーソールの下方に配置されたトレッド層と、
前記アッパーソールと前記トレッド層との間に配置され、荷重が加わったときの圧縮に抵抗するように構成された弾性ミッドソールと
を含み、
前記ミッドソールは、前記ソールの縦軸に対して横断方向に延びる少なくとも１つの浮動ヒンジを含み、前記浮動ヒンジはそれぞれ、上弾性凸形板ばねと、下弾性凸形板ばねと、前記両板ばねを互いに接合するＵ字形ばねとを含み、前記両板ばねはそれぞれ、根部と、前記根部の反対側の頭部とを有し、前記Ｕ字形ばねはそれぞれ、一体に形成された一対の脚を有し、前記上板ばねはそれぞれ、その前記根部において、前記アッパーソールと一体に形成されており、前記下板ばねはそれぞれ、その前記根部において、前記トレッド層と一体に形成されており、それぞれの前記浮動ヒンジの前記板ばねはそれぞれ、その頭部において、関連するＵ字形ばねのそれぞれ一方の前記脚に一体に接合されている
ことを特徴とするアウターソール。
【請求項２】
前記両板ばねは、前記荷重が加わったときに漸進的にまっすぐになることによって、前記圧縮に抵抗するように構成されていることを特徴とする請求項１に記載のアウターソール。
【請求項３】
前記Ｕ字形ばねは、前記荷重が加わったときに漸進的に圧縮されることによって、前記圧縮に抵抗するように構成されていることを特徴とする請求項２に記載のアウターソール。
【請求項４】
前記Ｕ字形ばねは、前記アッパーソールと前記トレッド層から等距離に配置されていることを特徴とする請求項３に記載のアウターソール。
【請求項５】
前記アッパーソールはつま先領域とかかと領域とを含み、前記浮動ヒンジはそれぞれ、前記つま先領域の方を向いた前記Ｕ字形ばねを有することを特徴とする請求項４に記載のアウターソール。
【請求項６】
前記ミッドソールは、それぞれの隣接する一対の前記浮動ヒンジ間に配置された介在チャネルを含み、前記浮動ヒンジおよび前記介在チャネルはそれぞれ、前記ソールの幅に沿って途切れることなく連続して延びていることを特徴とする請求項５に記載のアウターソール。
【請求項７】
前記ミッドソールは、前記チャネルの中に配置された弾性発泡体を含むことを特徴とする請求項６に記載のアウターソール。
【請求項８】
前記両板ばねは、前記ソールの全幅に沿って横断方向に延びていることを特徴とする請求項７に記載のアウターソール。
【請求項９】
前記両板ばねのそれぞれの厚さは、その前記根部と前記頭部との間で実質的に一定であることを特徴とする請求項８に記載のアウターソール。
【請求項１０】
前記両板ばねのそれぞれの厚さは、その前記根部と前記頭部との間で変化していることを特徴とする請求項８に記載のアウターソール。
【請求項１１】
前記両板ばねのそれぞれの厚さは、前記ソールの全幅に沿って実質的に一定であることを特徴とする請求項９に記載のアウターソール。
【請求項１２】
前記かかと領域の近くの前記浮動ヒンジの高さは、前記つま先領域の近くの前記浮動ヒンジの高さよりも大きいことを特徴とする請求項１１に記載のアウターソール。
【請求項１３】
前記ミッドソールは弾性ゴム材料を含むことを特徴とする請求項１２に記載のアウターソール。
【請求項１４】
シューアッパーと、
前記シューアッパーに固定されたアウターソールと
を含み、
前記アウターソールは、請求項１から１３のいずれか一項に従って構成されている
ことを特徴とする足被覆物。
【請求項１５】
前記シューアッパーと前記アウターソールは合わさってシューズを構成することを特徴とする請求項１４に記載の足被覆物。
【請求項１６】
前記シューアッパーと前記アウターソールは合わさってブーツを構成することを特徴とする請求項１５に記載の足被覆物。
【発明の詳細な説明】
【技術分野】
【０００１】
本発明は、足衝撃吸収手段（ｆｏｏｔ  ｃｕｓｈｉｏｎｉｎｇ  ｍｅａｎｓ）を有するソール（ｓｏｌｅ）に関する。具体的には本発明は、歩行中または走行中の足への衝撃を吸収する弾性ミッドソール（ｍｉｄ−ｓｏｌｅ）を有するシューズ（ｓｈｏｅ）またはブーツ（ｂｏｏｔ）用のアウターソール（ｏｕｔｅｒ  ｓｏｌｅ）に関する。
【背景技術】
【０００２】
衝撃の小さい形態の心臓血管系運動（ｃａｒｄｉｏｖａｓｃｕｌａｒ  ｅｘｅｒｃｉｓｅ）の人気が高まるとともに、足への衝撃を吸収することが意図されたウォーキングシューズおよびスポーツシューズのいくつかの設計が現れた。
【０００３】
例えば、Ｓｃｈｗａｂ（特許文献１）は、縦方向のリブ（ｌｏｎｇｉｔｕｄｉｎａｌ  ｒｉｂ）と、この縦方向リブから枝分かれしたいくつかの横方向のみぞとからなるトレッド（ｔｒｅａｄ）のプロファイルを有するシューソール（ｓｈｏｅ  ｓｏｌｅ）を記載している。これらのみぞは、縦方向リブに対して９０°以下の角度で傾いている。これらのみぞは、それらの間で歩行者の荷重が分散されるいくつかの横方向リブを生み出す。
【０００４】
Ｓｔｕｂｂｌｅｆｉｅｌｄ（特許文献２）は、ソールの下面から下に向かって延びるたわみ性のラグ（ｌｕｇ）を有するシューソールを記載している。これらのラグは、下面に対して鈍角に傾いており、地面と衝突すると外側へ広げられる。
【０００５】
Ｃｏｈｅｎ（特許文献３）は、ミッドソールと、アウターソールと、ミッドソールとアウターソールの間に配置された複数のリブ対とを有するシューズを記載している。これらのリブ対はシューズの全長に沿って提供され、それぞれが、シューズの縦軸に対して横断方向に延びる逆方向に曲げられた一対のリブを含む。これらリブは、ゴムまたは同様の材料から構築される。それぞれのリブ対の逆方向に曲げられたリブは、シューズにかかる荷重が増大したときにリブ対が変形することを許すある距離を隔てて互いから分離されている。所定の荷重が加えられた後、それぞれのリブ対の一方のリブが、逆方向に曲げられた隣接するもう一方のリブに接し、それによって、リブ対をさらに変形させるのに必要な荷重を増大させる。
【０００６】
Ｄｉａｚ（特許文献４）は、ばね板と、ばね板から下方または上方へ突き出た湾曲したいくつかの管状弾性ラグとを有するシューソールを記載している。実質的にＵ字形の断面を有するこれらの弾性ラグは、足の荷重が加えられると変形され、足が持ち上げられると圧縮されていない状態に戻る。ラグが圧縮されていない状態に戻るときには、それぞれのラグの後ろに配置された支持リブがそれぞれのラグを前方に押す。
【０００７】
Ｓｅｓｓａ（特許文献５）は、上面に形成された凹みと、凹みの中に配置された弾性ミッドソールインサート（ｉｎｓｅｒｔ）とを有するシューズのアウトソール（ｏｕｔｓｏｌｅ）を記載している。このインサートは、インサートの下面を横切って延びる、縦方向に間隔を置いて配置された下に向かって延びるいくつかの横断リブを有する。これらの横断リブは２つの長さのリブからなり、より長いリブとより短いリブとがインサートの長さに沿って規則的なパターンで交互に並んでいる。これらのリブは、インサートの幅に沿ってシヌソイド（ｓｉｎｕｓｏｉｄａｌ）パターンに配置され、それぞれのリブの高さは、インサートの幅に沿ってシヌソイドパターンで変化する。より背の高いリブは第１の衝撃吸収率を提供し、背の低いリブは、リブがさらに圧縮されたときに、徐々に増大する衝撃吸収率を提供する。
【０００８】
Ｐａｒｉｓｏｔｔｏ（特許文献６）は、アウターソールの上面のかかと部分に配置された空洞と、空洞の中に配置された中央の縦リブと、やはり空洞の中に配置されたいくつかの横断リブとを有するシューズのアウターソールを記載している。横断リブは縦リブと交差し、それによって格子パターンを形成する。横断リブは、空洞の上面から上に向かって延び、シューズの後部に向かって後方に傾いている。使用時、横断リブは、足のかかとの重みで後方へたわみ、足が持ち上げられると変形前の位置に戻る。
【０００９】
Ｌｅｋｈｔｍａｎ（特許文献７）は、上荷重支持部材と、下荷重支持部材と、これらの荷重支持部材間に配置された圧縮可能な複数のばね部材とを含む衝撃吸収アウトソールを記載している。圧縮可能なばね部材はそれぞれ双凹（ｂｉ−ｃｏｎｃａｖｅ）のＶ字形を有し、一対の弓形パネルを含み、これらのパネルは一端が互いに接しており、それぞれの反対端に提供された支持手段を介してそれぞれの荷重支持部材にピボット式に結合されている。
【００１０】
【特許文献１】米国特許第３６６２４７８号明細書
【特許文献２】米国特許第４３７２０５８号明細書
【特許文献３】米国特許第４７５４５５９号明細書
【特許文献４】米国特許第４８１５２２１号明細書
【特許文献５】米国特許第５４６９６３９号明細書
【特許文献６】英国特許第２２９７７６８号明細書
【特許文献７】国際公開第２００５／０２５３８１号パンフレット
【発明の開示】
【課題を解決するための手段】
【００１１】
本発明の一態様によれば、アッパーソールと、アッパーソールの下方に配置されたトレッド層と、アッパーソールとトレッド層との間に配置され、荷重が加わったときの圧縮に抵抗するように構成された弾性ミッドソールとを含むアウターソールが提供される。ミッドソールは、ソールの縦軸に対して横断方向に延びる少なくとも１つの浮動ヒンジを含む。浮動ヒンジはそれぞれ、上弾性凸形板ばねと、下弾性凸形板ばねと、これらの板ばねを互いに接合するＵ字形ばねとを含む。板ばねはそれぞれ、根部と、根部の反対側の頭部とを有する。Ｕ字形ばねはそれぞれ、一体に形成された一対の脚を有し、上板ばねはそれぞれ、その根部において、アッパーソールと一体に形成されており、下板ばねはそれぞれ、その根部において、トレッド層と一体に形成されている。それぞれの浮動ヒンジの板ばねはそれぞれ、その頭部において、関連するＵ字形ばねのそれぞれ一方の脚に一体に接合されている。
【００１２】
本発明の他の態様によれば、シューアッパーと、シューアッパーに固定されたアウターソールとを含む足被覆物（ｆｏｏｔ  ｃｏｖｅｒｉｎｇ）が提供される。アウターソールは、アッパーソールと、アッパーソールの下方に配置されたトレッド層と、アッパーソールとトレッド層との間に配置され、荷重が加わったときの圧縮に抵抗するように構成された弾性ミッドソールとを含む。ミッドソールは、ソールの縦軸に対して横断方向に延びる少なくとも１つの浮動ヒンジを含む。浮動ヒンジはそれぞれ、上弾性凸形板ばねと、下弾性凸形板ばねと、これらの板ばねを互いに接合するＵ字形ばねとを含む。板ばねはそれぞれ、根部と、根部の反対側の頭部とを有する。Ｕ字形ばねはそれぞれ、一体に形成された一対の脚を有し、上板ばねはそれぞれ、その根部において、アッパーソールと一体に形成されており、下板ばねはそれぞれ、その根部において、トレッド層と一体に形成されている。それぞれの浮動ヒンジの板ばねはそれぞれ、その頭部において、関連するＵ字形ばねのそれぞれ一方の脚に一体に接合されている。
【００１３】
本発明の他の態様によれば、板ばねは、荷重が加わったときに漸進的にまっすぐになることによって、圧縮に抵抗するように構成されている。
【００１４】
本発明の他の態様によれば、Ｕ字形ばねは、荷重が加わったときに漸進的に圧縮されることによって、圧縮に抵抗するように構成されている。
【００１５】
本発明の他の態様によれば、Ｕ字形ばねは、アッパーソールとトレッド層から等距離に配置されている。
【００１６】
本発明の他の態様によれば、アッパーソールはつま先領域とかかと領域とを含み、浮動ヒンジはそれぞれ、つま先領域の方を向いたＵ字形ばねを有する。
【００１７】
本発明の他の態様によれば、ミッドソールは、それぞれの隣接する一対の浮動ヒンジ間に配置された介在チャネルを含み、浮動ヒンジおよび介在チャネルはそれぞれ、ソールの幅に沿って途切れることなく連続して延びている。
【００１８】
本発明の他の態様によれば、板ばねは、ソールの全幅に沿って横断方向に延びている。
【００１９】
本発明の他の態様によれば、それぞれの板ばねの厚さは、その根部と頭部との間で実質的に一定である。
【００２０】
本発明の他の態様によれば、それぞれの板ばねの厚さは、ソールの全幅に沿って実質的に一定である。
【００２１】
本発明の他の態様によれば、かかと領域の近くの浮動ヒンジの高さは、つま先領域の近くの浮動ヒンジの高さよりも大きい。
【００２２】
一実施態様において、ミッドソールは弾性ゴム材料を含む。
【００２３】
他の実施態様において、足被覆物のシューアッパーとアウターソールは合わさってシューズを構成する。
【００２４】
他の実施態様において、足被覆物のシューアッパーとアウターソールは合わさってブーツを構成する。
【００２５】
次に、添付図面を参照して本発明を例示的に説明する。
【発明を実施するための最良の形態】
【００２６】
図１を参照すると、従来のシューアッパー（ｓｈｏｅ  ｕｐｐｅｒ）１０２と、シューアッパー１０２に固定されたアウターソール２００とを含むスポーツシューズないしウォーキングシューズ１００が示されている。アウターソール２００は、シューセメント（ｓｈｏｅ  ｃｅｍｅｎｔ）を使用するなど、従来の方法でシューアッパー１０２に固定されている。
【００２７】
図３に示されているとおり、アウターソール２００は、アッパーソール（ｕｐｐｅｒ  ｓｏｌｅ）２０２と、アッパーソール２０２の下方に配置されたトレッド層２０４と、アッパーソール２０２とトレッド層２０４の間に配置された弾性ミッドソール２０６とを含む。好ましくは、アッパーソール２０２、トレッド層２０４およびミッドソール２０６が、弾性ゴムコンパウンド（ｒｕｂｂｅｒ  ｃｏｍｐｏｕｎｄ）から製作される。さらに、好ましくは、ミッドソール２０６が、アッパーソール２０２およびトレッド層２０４と一体に成形される。
【００２８】
アッパーソール２０２は、アッパーソール２０２の一端に近いつま先領域２０８と、アッパーソール２０２の反対端に近いかかと領域２１０とを有する。使用時、シューズ１００のシューアッパー１０２とアウターソール２００の間に人の足が挿入されているとき、足指はつま先領域２０８の近くに位置し、かかとはかかと領域２１０の近くに位置する。
【００２９】
好ましくは、アッパーソール２０２が、つま先領域２０８の近くではトレッド層２０４と一体に成形されるが、かかと領域２１０では、ミッドソール２０６と、アウターソール２００から後方へ突き出たたわみ性のＵ字形ヒンジ（ｈｉｎｇｅ）２２６とによって、トレッド層２０４に結合されるだけである。容易に理解されるように、この配置は、アウターソール２００に荷重が加わったときに、かかと領域２１０においてアッパーソール２０２がトレッド層２０４に対して垂直に移動することを可能にし、それによって垂直衝撃吸収作用を足に提供する。
【００３０】
好ましくは、トレッド層２０４が、シューズ１００のトラクション（ｔｒａｃｔｉｏｎ）を増大させる役目を果たす実質的に平行ないくつかの弾性リブ２１２を含む。それぞれのリブ２１２は、アッパーソール２０２から離れる方向に下に向かって延び、トレッド層２０４の幅に沿って横断方向に延びる。
【００３１】
弾性ミッドソール２０６は、アウターソール２００の縦軸に対して横断方向を向いた少なくとも１つの浮動ヒンジ（ｆｌｏａｔｉｎｇ  ｈｉｎｇｅ）２１４を含む。好ましくは、弾性ミッドソール２０６が、アウターソール２００の全長に沿って配置されたこのようないくつかの浮動ヒンジ２１４を含む。容易に理解されるように、浮動ヒンジ２１４は、アウターソール２００に荷重が加わっているときに圧縮に抵抗するようにミッドソール２０６を構成する。
【００３２】
示されているとおり、浮動ヒンジ２１４はそれぞれ、上弾性板ばね（ｌｅａｆ  ｓｐｒｉｎｇ）２１６と、下弾性板ばね２１８と、板ばね２１６と２１８とを互いに接合するＵ字形ばね２２０とを含む。上板ばね２１６は、根部２１６ａと、根部２１６ａの反対側の頭部２１６ｂとを有する。上板ばね２１６はそれぞれ、根部２１６ａにおいて、アッパーソール２０２と一体に形成されている。同様に、下板ばね２１８も、根部２１８ａと、根部２１８ａの反対側に位置する頭部２１８ｂとを有する。下板ばね２１８はそれぞれ、根部２１８ａにおいて、トレッド層２０４と一体に形成されている。
【００３３】
示されているとおり、板ばね２１６、２１８はそれぞれ凸形の輪郭を有し、それぞれの板ばね２１６、２１８の曲率半径は、頭部２１６ｂ、２１８ｂよりも根部２１６ａ、２１８ａの近くでより大きい。しかし、それぞれの上板ばね２１６の輪郭は、それぞれの下板ばね２１８の輪郭とは向きが逆である。
【００３４】
板ばね２１６、２１８は、アウターソール２００を横切って、好ましくはアウターソール２００の全幅に沿って横断方向に延びる。好ましくは、それぞれの板ばね２１６、２１８の厚さが、根部２１６ａ、２１８ａと頭部２１６ｂ、２１８ｂの間で実質的に一定であり、かつアウターソール２００の全幅に沿って実質的に一定である。
【００３５】
さらに、好ましくは、ミッドソール２０６が、それぞれの隣接する一対の浮動ヒンジ２１４間に配置された介在チャネル（ｉｎｔｅｒｖｅｎｉｎｇ  ｃｈａｎｎｅｌ）２２２を含み、浮動ヒンジ２１４および介在チャネル２２２が、アウターソール２００の幅に沿って途切れることなく連続して延びる。あるいは、アウターソール２００に所望の弾性を与えるために、１つまたは複数の介在チャネル２２２に弾性発泡材料を充填してもよい。
【００３６】
Ｕ字形ばね２２０はそれぞれ、一体に接続された一対の脚（ｌｅｇ）２２０ａ、２２０ｂを有する。それぞれのＵ字形ばね２２０の一方の脚２２０ａは、同じＵ字形ばね２２０のもう一方の脚２２０ｂの上方に配置される。さらに、脚２２０ａ、２２０ｂはそれぞれ、実質的に平らな断面を有し、アウターソール２００の幅に沿って横断方向に延びる。示されているとおり、Ｕ字形ばね２２０はそれぞれ、上脚２２０ａと下脚２２０ｂとによって画定されたチャネル２２４を含み、このチャネルは、アウターソール２００の幅に沿って横断方向に延び、アウターソール２００に荷重が加わっていないときに上脚２２０ａを下脚２２０ｂから分離する。
【００３７】
それぞれの浮動ヒンジ２１４の上板ばね２１６は、頭部２１６ｂにおいて、関連するＵ字形ばね２２０の上脚２２０ａと一体に形成される。同様に、それぞれの浮動ヒンジ２１４の下板ばね２１８は、頭部２１８ｂにおいて、関連するＵ字形ばね２２０の下脚２２０ｂと一体に形成される。
【００３８】
好ましくは、板ばね２１６、２１８が実質的に同じ長さおよび曲率を有し、Ｕ字形ばね２２０が、アッパーソール２０２とトレッド層２０４から等距離に配置される。さらに、好ましくは、Ｕ字形ばね２２０がつま先領域２０８の方を向く向きに浮動ヒンジ２１４が配置され、板ばね２１６、２１８の根部２１６ａ、２１８ａは、かかと領域２１０の方を向くように配置される。
【００３９】
前に論じたとおり、板ばね２１６、２１８は本質的に弾性であり、逆向きの凸形の輪郭を有する。したがって、（例えばシューズ１００を履いた人が足を踏み出すなどによって）アウターソール２００にかかる垂直荷重が増大すると、板ばね２１６、２１８は、荷重が加わって漸進的にまっすぐになることによって、アウターソール２００の垂直方向の圧縮に抵抗する。
【００４０】
（前に論じたとおり）板ばね２１６、２１８の曲率半径は変化しているため、垂直荷重（例えばシューズ１００を履いた人の体重）が加わると、板ばね２１６、２１８の頭部２１６ａ、２１８ａは、その荷重の加わってない形状から、根部２１６ｂ、２１８ｂよりも容易に変形する。アウターソール２００にかかる垂直荷重が増大すると、板ばね２１６、２１８の頭部２１６ａ、２１８ａは（図２および４に示されているように）互いに接し、それによって、板ばね２１６、２１８の頭部２１６ａ、２１８ａのさらなる変形を防ぐ。しかし、次いで、板ばね２１６、２１８の根部２１６ｂ、２１８ｂが、その荷重の加わっていない形状から変形し始める。その結果、板ばね２１６、２１８は、漸進的な垂直衝撃吸収作用を足に提供する。
【００４１】
好ましくは、それぞれのＵ字形ばね２２０は弾性だが、板ばね２１６、２１８よりも弾性である。したがって、垂直荷重が加わった初期には、最初にＵ字形ばね２２０がアウターソール２０の圧縮に抵抗し、続いて板ばね２１６、２１８が変形する。その結果、この後者の構成を使用することによって、より漸進的な垂直衝撃吸収作用を足に提供することができる。
【００４２】
さらに、好ましくは、足のかかとに対する衝撃吸収作用を増大させるために、かかと２１０領域の近くの浮動ヒンジ２１４の高さが、つま先領域２０８の近くの浮動ヒンジの高さよりも大きい。しかし、荷重分布を改善するために、アウターソール２００が代替の断面を有してもよい。例えば、足の母指球、かかとなど足の荷重が最大となる点と一致するソール２００の領域に隣接した浮動ヒンジ２１４の高さを、足のこれらの領域に対する支持を強化するために、相対的に大きくすることができる。
【００４３】
本明細書では、上記の実施形態の多数の変形形態が企図される。例えば、全ての板ばね２１６、２１８の厚さおよびサイズが実質的に同じである点で、ミッドソール２０６は一般にモジュール式（ｍｏｄｕｌａｒ）である。その結果、全ての板ばね２１６、２１８の厚さおよび／またはサイズを増大させまたは低減させることによって、所望の量の垂直衝撃吸収作用を得ることができる。しかし、代替として、アウターソール２００に沿った指定された位置に選択垂直衝撃吸収作用を提供するために、個々の板ばね２１６、２１８の厚さおよび／またはサイズを増大させまたは低下させることができる。さらに、板ばね２１６、２１８を構成する材料を適当に選択することによって、垂直衝撃吸収作用の量を調整することもできる。
【００４４】
さらに、異なる量の衝撃吸収作用を足に提供するために、ミッドソール２０６の単位長さあたりの浮動ヒンジ２１４の数（密度）を選択することができる。密度のこの変更は、介在チャネル２２２のサイズを増大または低減させ、かつ／あるいは板ばね２１６、２１８の長さおよび／または傾斜角度を増大または低減させることによって実現することができる。さらに、（先に定義した）浮動ヒンジ２１４の密度は均一である必要はなく、ソール２００の長さに沿って変化させることができる。例えば、母指球およびかかとと一致するソール２００の領域に隣接した浮動ヒンジ２１４の密度を相対的に大きくし、足弓と一致するソール２００の領域に隣接した浮動ヒンジ２１４の密度を相対的に小さくすることができる。
【００４５】
さらに、先に論じたとおり、それぞれの板ばね２１６、２１８の厚さは一般に、根部２１６ａ、２１８ａと頭部２１６ｂ、２１８ｂとの間で実質的に一定であり、アウターソール２００の全幅に沿って実質的に一定である。しかし、代替として、異なる漸進垂直衝撃吸収プロファイルを提供するために、それぞれの板ばね２１６、２１８の厚さを、根部２１６ａ、２１８ａと頭部２１６ｂ、２１８ｂとの間で変化させてもよい。
【００４６】
以上の説明は、本発明の好ましい実施形態を例示するものであり、本明細書に添付された特許請求の範囲は、本発明に対する意図された独占権の範囲を定義するものである。当業者には、本明細書には明示的に提案されてはいないが、添付の特許請求の範囲によって定義された本発明の範囲を逸脱しない、記載された実施形態に対するいくつかの変更が予見されるであろう。
【図面の簡単な説明】
【００４７】
【図１】アウターソールを有するシューズの側面図であって、アッパーソール、トレッド層および弾性ミッドソールを示す図である。
【図２】図１に示されたシューズの側面図であって、荷重が加わって圧縮されたミッドソールを示す図である。
【図３】図１に示されたアウターソールの縦断面図であって、変形していない状態のミッドソールを示す図である。
【図４】アウターソールの縦断面図であって、荷重が加わって圧縮されたミッドソールを示す図である。
【図５】アウターソールのつま先領域の拡大断面図である。
【図６】アウターソールのかかと領域の拡大断面図である。
【図７】アウターソールの透視図である。
【図８】アウターソールの側面図である。
【図９】アウターソールのかかと領域を示す背面図である。
【図１】
2009529348.tif 000003
【図２】
2009529348.tif 000004
【図３】
2009529348.tif 000005
【図４】
2009529348.tif 000006
【図５】
2009529348.tif 000007
【図６】
2009529348.tif 000008
【図７】
2009529348.tif 000009
【図８】
2009529348.tif 000010
【図９】
2009529348.tif 000011
【国際調査報告】
2009529348.tif 000012
2009529348.tif 000013